(57)【要約】【課題】作業者の視野が装置によって遮らえる領域を小さくする。【解決手段】画像入力装置１は、原稿載置面８０上に配置されるスタンド１０と、原稿載置面８０内の原稿載置領域８１上に置かれた原稿Ｓからの光を反射する反射鏡２０と、反射鏡２０からの光を受け入れる受光部３０と、を備える。スタンド１０は、原稿載置面８０に接する基部１１と、原稿載置面８０から遠ざかる方向に基部１１から延びる柱部１９と、を有する。反射鏡２０は、原稿載置領域８１から垂直な方向に離れた範囲内に配置され、反射鏡２０の反射面２１が、奥側Ｄｙｂに向うに連れて次第に原稿載置面８０に近づくよう傾斜した状態で、柱部１９に支持されている。受光部３０は、基部１１に設けられている。【選択図】図２
2018050100.tif 000002
【特許請求の範囲】
【請求項１】
原稿載置面上に配置されるスタンドと、
前記原稿載置面上に配置された前記スタンドの位置に対して相対的に定まる前記原稿載置面内の原稿載置領域上に置かれた原稿からの光を反射する反射鏡と、
前記反射鏡からの光を受け入れる受光部と、
を備え、
前記スタンドは、少なくとも一部が前記原稿載置面に接する基部と、前記原稿載置面から遠ざかる方向に前記基部から延びる柱部と、を有し、前記基部は、前面と前記前面とは反対側の後面とを有し、
前記反射鏡は、前記原稿載置面内の前記原稿載置領域から垂直な方向に離れた範囲内に配置され、前記反射鏡の反射面が、前記後面に対する前記前面の側である手前側から前記前面に対する前記後面の側である奥側に向うに連れて次第に前記原稿載置面に近づくよう、傾斜した対向配置状態で、前記柱部に支持され、
前記受光部は、前記基部に設けられている、
画像入力装置。
【請求項２】
請求項１に記載の画像入力装置において、
前記受光部は、前記反射鏡からの光を受けて、前記光を電気信号に変換する光電変換素子と、前記反射鏡からの光を前記光電変換素子の受光面で結像させる光学素子と、を有し、
前記反射鏡で折り曲げられる前記光学素子の光軸は、前記反射鏡を基準にして前記原稿載置領域側で前記原稿載置面に対して垂直に交わる、
画像入力装置。
【請求項３】
請求項２に記載の画像入力装置において、
前記光軸が前記原稿載置面と交わる光軸交点は、前記原稿載置領域の中心から前記基部側にずれている、
画像入力装置。
【請求項４】
請求項２又は３に記載の画像入力装置において、
前記受光面の中心は、前記原稿載置領域の中心からの光が結像する位置である、
画像入力装置。
【請求項５】
請求項１から４のいずれか一項に記載の画像入力装置において、
前記反射鏡である第一反射鏡の他に、第二反射鏡を備え、
前記第二反射鏡は、前記第一反射鏡からの光を前記奥側に向かわせて前記受光部に導けるよう、前記基部に設けられている、
画像入力装置。
【請求項６】
請求項１から５のいずれか一項に記載の画像入力装置において、
前記反射面が前記原稿載置領域に対向している前記対向配置状態と、前記反射面が前記柱部に対向している収納状態と、の間で前記反射鏡を変位可能に前記柱部に取り付ける鏡変位機構を備える、
画像入力装置。
【請求項７】
請求項１から６のいずれか一項に記載の画像入力装置において、
前記基部に設けられ、前記原稿載置領域の縁の位置を示す原稿ガイドを備える、
画像入力装置。
【請求項８】
請求項７に記載の画像入力装置において、
前記原稿ガイドは、前記奥側から前記手前側に直線的に延びる原稿横ガイドを有する、
画像入力装置。
【請求項９】
原稿載置面上の配置されたスタンドの位置に対して相対的に定まる前記原稿載置面内の原稿載置領域上に置かれた原稿からの光を、前記スタンドに支持された反射鏡で反射する反射工程と、
前記反射鏡からの光を受け入れる受光工程と、
を実行し、
前記反射工程では、前記原稿載置面内の前記原稿載置領域から垂直な方向に離れた範囲内で、前記原稿載置領域上に置かれた原稿からの光を、前記原稿載置面の側に向かわせつつ、前記原稿載置面上の配置された前記スタンドの位置を基準にして作業者位置として定まる位置の側である手前側に向かわせ、且つ前記手前側の方向に対して垂直で且つ前記原稿載置面に平行な横側に向かわせる、
画像入力方法。
【請求項１０】
請求項９に記載の画像入力方法において、
前記受光工程を受光部で実行し、、
前記受光部は、前記反射鏡からの光を受けて、前記光を電気信号に変換する光電変換素子と、前記反射鏡からの光を前記光電変換素子の受光面で結像させる光学素子と、を有し、
前記反射鏡で折り曲げられる前記光学素子の光軸が、前記反射鏡を基準にして前記原稿載置領域側で前記原稿載置面に対して垂直に交わっている状態で、前記反射工程及び前記受光工程を実行する、
画像入力方法。
【発明の詳細な説明】
【技術分野】
【０００１】
本発明は、画像入力装置及び画像入力方法に関する。
【背景技術】
【０００２】
画像入力装置としては、例えば、以下の特許文献１，２に記載されている装置がある。
【０００３】
特許文献１に記載の画像入力装置は、原稿載置面上に置かれる台と、台から上方に延びるアームと、アームに上端に固定されている画像読取部と、を備えている。画像読取部は、原稿載置面上に置かれた原稿からの光を反射する反射鏡と、反射鏡からの光を受けるイメージセンサと、反射鏡からの光をイメージセンサの受光面で結像させるレンズと、を有する。この特許文献１には、原稿載置面から画像読取部の下端までの高さとして、４４３ｍｍ以上であることが好ましい旨が記載されている。
【０００４】
特許文献２に記載の画像入力装置は、原稿載置面の上方に原稿載置面に対して平行に配置された反射鏡と、反射鏡からの光を集光する光学系と、光学系により集光された光を受光する受光素子と、を有する。光学系は、原稿載置面内の原稿載置領域に対する垂直上方の範囲外に配置されている。反射鏡は、原稿載置面内の原稿載置領域に置かれた原稿からの光を下方向に折り返す。よって、反射鏡からの光を集光する光学系は、反射鏡よりも下方向に配置されている。
【先行技術文献】
【特許文献】
【０００５】
【特許文献１】特開２００４−３３６１１５号公報
【特許文献２】特開２０１６−０５７３８０号公報
【発明の概要】
【発明が解決しようとする課題】
【０００６】
特許文献１に記載の装置では、原稿載置面に対して比較的高い位置に、反射鏡、レンズ及びイメージセンサを有する画像読取部が配置されている。このため、特許文献１に記載の装置では、この装置を扱う作業者が周囲を見渡す際、画像読取部により作業者の視野が遮られる領域が多くなる、という問題点がある。
【０００７】
特許文献２に記載の装置では、原稿からの光を反射鏡で下方向に折り返す。このため、原稿から光学系までの光路長を長く確保しつつ、原稿から反射鏡までの距離を短くすることができる。すなわち、反射鏡の高さを低くすることができる。よって、特許文献２に記載の装置では、特許文献１に記載の装置よりも、作業者が周囲を見渡す際、その視野が遮られる領域を小さくすることができる。しかしながら、この特許文献２に記載の装置では、作業者が原稿載置面上に置かれた原稿を見る際に、原稿載置面に対して平行に配置されている反射鏡により、その視野の一部が遮られるおそれがあるという問題点がある。
【０００８】
そこで、本発明は、上記問題点を解決するための画像入力装置及び画像入力方法を提供することを目的とする。
【課題を解決するための手段】
【０００９】
上記目的を達成するための発明に係る一態様としての画像入力装置は、
原稿載置面上に配置されるスタンドと、前記原稿載置面上に配置された前記スタンドの位置に対して相対的に定まる前記原稿載置面内の原稿載置領域上に置かれた原稿からの光を反射する反射鏡と、前記反射鏡からの光を受け入れる受光部と、を備え、
前記スタンドは、少なくとも一部が前記原稿載置面に接する基部と、前記原稿載置面から遠ざかる方向に前記基部から延びる柱部と、を有し、前記基部は、前面と前記前面とは反対側の後面とを有し、前記反射鏡は、前記原稿載置面内の前記原稿載置領域から垂直な方向に離れた範囲内に配置され、前記反射鏡の反射面が、前記後面に対する前記前面の側である手前側から前記前面に対する前記後面の側である奥側に向うに連れて次第に前記原稿載置面に近づくよう、傾斜した対向配置状態で、前記柱部に支持され、前記受光部は、前記基部に設けられている。
【００１０】
上記目的を達成するための発明に係る他の態様としての画像入力方法は、
原稿載置面上の配置されたスタンドの位置に対して相対的に定まる前記原稿載置面内の原稿載置領域上に置かれた原稿からの光を、前記スタンドに支持された反射鏡で反射する反射工程と、前記反射鏡からの光を受け入れる受光工程と、を実行し、
前記反射工程では、前記原稿載置面内の前記原稿載置領域から垂直な方向に離れた範囲内で、前記原稿載置領域上に置かれた原稿からの光を、前記原稿載置面の側に向かわせつつ、前記原稿載置面上の配置された前記スタンドの位置を基準にして作業者位置として定まる位置の側である手前側に向かわせ、且つ前記手前側の方向に対して垂直で且つ前記原稿載置面に平行な横側に向かわせる。
【発明の効果】
【００１１】
本発明の一態様によれば、装置により、作業者の視野が遮られる領域を小さくすることができる。
【図面の簡単な説明】
【００１２】
【図１】本発明に係る第一実施形態における画像入力装置、及びこれを扱う作業者の側面である。
【図２】本発明に係る第一実施形態における画像入力装置の斜視図である。
【図３】本発明に係る第一実施形態における受光部の構成を示す説明図である。
【図４】本発明に係る第一実施形態における画像入力方法における各工程の実行順序を示すフローチャートである。
【図５】本発明に係る第二実施形態における画像入力装置の斜視図である。
【図６】本発明に係る第二実施形態における画像入力装置の光学系の特徴を示す説明図である。
【図７】本発明に係る第二実施形態における画像入力装置で得られる原稿の像を示す説明図である。
【図８】比較例における画像入力装置の光学系の特徴を示す説明図である。
【図９】比較例における画像入力装置で得られる原稿の像を示す説明図である。
【図１０】本発明に係る第三実施形態における画像入力装置の側面図である。
【図１１】本発明に係る第四実施形態における画像入力装置の斜視図である。
【発明を実施するための形態】
【００１３】
以下、本発明に係る画像入力装置の各種実施形態について、図面を用いて説明する。
【００１４】
「第一実施形態」
図１〜図４を参照して、本発明に係る画像入力装置の第一実施形態について説明する。
【００１５】
図１及び図２に示すように、本実施形態の画像入力装置１は、原稿載置面８０上に配置されるスタンド１０と、原稿載置面８０上に置かれた原稿Ｓからの光を反射する反射鏡２０と、反射鏡２０からの光を受け入れる受光部３０と、操作部５５と、を備える。
【００１６】
スタンド１０は、少なくとも一部が原稿載置面８０に接する基部１１と、原稿載置面８０から遠ざかる方向である上方向に基部１１から延びる柱部１９と、を有する。基部１１は、この画像入力装置１を扱う作業者Ｍの側を向く前面１２と、前面１２と反対側の後面１３と、上を向く上面１４と、下を向く下面１５と、互いに相反する側を向く第一側面１６及び第二側面１７と、を有する。第一側面１６及び第二側面１７は、いずれも、前面１２及び後面１３に対して垂直で且つ上面１４及び下面１５に対して垂直な方向成分を有する方向を向いている。原稿載置面８０には、下面１５の少なくとも一部が接する。なお、前面１２、後面１３、上面１４、下面１５、第一側面１６、及び第二側面１７は、いずれも平面であってもよいが、曲面や凹凸があってもよい。
【００１７】
ここで、原稿載置面８０に平行な方向であって、基部１１の前面１２と後面１３とが並ぶ方向を縦方向Ｄｙとする。この縦方向Ｄｙで、後面１３に対する前面１２の側を手前側Ｄｙｆとし、この縦方向Ｄｙで、前面１２に対する後面１３の側を奥側Ｄｙｂとする。また、原稿載置面８０に平行な方向であって、基部１１の第一側面１６及び第二側面１７が並ぶ方向を横方向Ｄｘとする。この横方向Ｄｘで、第二側面１７に対する第一側面１６の側を第一横側Ｄｘ１とし、第一側面１６に対する第二側面１７の側を側を第二横側Ｄｘ２とする。
【００１８】
柱部１９は、基部１１の上面１４のうち奥側Ｄｙｂの部分から、原稿載置面８０から遠ざかる方向である上方向に延びている。
【００１９】
原稿載置面８０上で、原稿Ｓが置かれる原稿載置領域８１は、例えば、Ａ４サイズの用紙に合った長方形の領域である。この原稿載置領域８１は、原稿載置面８０上に配置されたスタンド１０の位置に対して相対的に定まる。具体的には、原稿載置面８０上に置かれたスタンド１０の基部１１を基準にして、第一横側Ｄｘ１であって、この基部１１に沿った領域が原稿載置領域８１になる。
【００２０】
本実施形態の画像入力装置１は、さらに、原稿載置面８０内における原稿載置領域８１の縁の位置を示す原稿横ガイド５０を備える。この原稿横ガイド５０は、基部１１の原稿横ガイド５０を有する。原稿横ガイド５０は、基部１１の第一側面１６に固定されている。この原稿横ガイド５０は、縦方向Ｄｙに延びる平面である横ガイド面５１を有する。この横ガイド面５１の下端は、スタンド１０が原稿載置面８０上に配置された際、実質的に原稿載置面８０に接する。この横ガイド面５１は、原稿載置領域８１の縁のうち、この原稿載置領域８１が成す長方形の一辺の位置を示す。
【００２１】
反射鏡２０は、原稿載置領域８１から鉛直上方向に離れた範囲内に配置されている。反射鏡２０の反射面２１は、原稿載置面８０に対向する。この反射面２１は、手前側Ｄｙｆから奥側Ｄｙｂに向うに連れて次第に原稿載置面８０に近づくよう傾斜し、且つ第一横側Ｄｘ１から第二横側Ｄｘ２に向うに連れて次第に原稿載置面８０から遠ざかるように傾斜している。反射鏡２０は、その反射面２１が以上のように原稿載置面８０に対向した対向配置状態で、柱部１９の上端に固定されている。
【００２２】
受光部３０は、スタンド１０の基部１１中で手前側Ｄｙｆの部分に設けられている。受光部３０は、図３に示すように、光学素子３１と、光電変換素子３３と、素子駆動制御回路３６と、を有する。光電変換素子３３は、例えば、ＣＭＯＳ（Complementary Metal Oxide Semiconductor）イメージセンサ、ＣＣＤ（Charge-Coupled Device）イメージセンサ等である。この光電変換素子３３は、反射鏡２０からの光を受ける受光面３４を有する。この受光面３４は、例えば、長方形である。よって、光電変換素子３３であるイメージセンサは、二次元イメージセンサである。この光電変換素子３３は、反射鏡２０からの光をアナログの電気信号に変換する。光学素子３１は、例えば、一以上のレンズで構成される。この光学素子３１は、反射鏡２０からの光を光電変換素子３３の受光面３４で結像させる。素子駆動制御回路３６は、光電変換素子３３を駆動すると共に、光電変換素子３３からのアナログ電気信号をディジタル画像信号に変換して出力する。素子駆動制御回路３６は、例えば、コンピュータで構成させる画像表示装置にディジタル画像信号を出力する。
【００２３】
光学素子３１の光軸Ｏａは、図２に示すように、反射鏡２０で折り曲げられる。この光軸Ｏａは、反射鏡２０を基準にして原稿載置領域８１側で原稿載置面８０に対して垂直に交わる。この光軸Ｏａと原稿載置面８０とが交わる光軸交点Ｐｏａの位置は、原稿載置領域８１内である。また、この光軸Ｏａは、図３に示すように、反射鏡２０を基準にして光学素子３１側で、光電変換素子３３の受光面３４に対して垂直である。
【００２４】
操作部５５は、スタンド１０の基部１１の上面１４に設けられている。この操作部５５は、画像入力装置１を稼動させるスイッチ等を含む。
【００２５】
次に、図４に示すフローチャートに従って、以上で説明した画像入力装置１を用いた画像入力方法について説明する。
【００２６】
まず、図１及び図２に示すように、作業者Ｍは、原稿載置面８０を形成する例えば机９３の天面９４上に、スタンド１０を配置する（Ｓ１:スタンド１０配置工程）。この際、作業者Ｍは、スタンド１０の基部１１の前面１２が自身の側を向くように、スタンド１０を配置する。
【００２７】
次に、作業者Ｍは、原稿載置面８０内でスタンド１０の位置に対して相対的に定まる原稿載置領域８１内に原稿Ｓを置く（Ｓ２：原稿配置工程）。この際、作業者Ｍは、原稿横ガイド５０の横ガイド面５１に原稿Ｓの縁を接触させる。この結果、原稿Ｓは、原稿載置領域８１内に置かれる。
【００２８】
そして、作業者Ｍは、操作部５５を操作して、画像入力装置１を稼動させ、この画像入力装置１による画像入力動作を開始させる（Ｓ３：ＯＮ工程）。なお、このＯＮ工程（Ｓ３）は、原稿配置工程（Ｓ２）の前に行ってもよい。
【００２９】
画像入力装置１は、画像入力動作を開始すると、画像入力装置１の反射鏡２０が原稿載置領域８１内に置かれた原稿Ｓからの光を反射し、この光を受光部３０へ導く（Ｓ４：反射工程）。受光部３０の光学素子３１は、基部１１の手前側Ｄｙｆに配置されている。よって、反射鏡２０は、下方向（原稿載置面８０に近づく方向）の成分、手前側Ｄｙｆの向く方向の成分、及び第二横側Ｄｘ２を向く方向成分を含む方向に、原稿Ｓからの光を反射する。
【００３０】
受光部３０は、反射鏡２０からの光を受け入れる（Ｓ５：受光工程）。この受光工程（Ｓ５）では、受光部３０の光学素子３１が反射鏡２０からの光を光電変換素子３３の受光面３４で結像させる。光電変換素子３３は、反射鏡２０からの光をアナログの電気信号に変換して、素子駆動制御回路３６に出力する。
【００３１】
素子駆動制御回路３６は、光電変換素子３３からのアナログ電気信号をディジタル画像信号に変換して、例えば、コンピュータで構成させる画像表示装置にディジタル画像信号を出力する（Ｓ６：出力工程）。
【００３２】
出力工程（Ｓ６）が終了し、作業者Ｍが原稿Ｓの画像を入力したと判断し、原稿Ｓの画像の再入力が不要であると判断すると、作業者Ｍは、操作部５５を操作して、画像入力装置１を稼動停止させる（Ｓ７：ＯＦＦ工程）。
【００３３】
本実施形態では、反射鏡２０に対して下方向に配置されている原稿Ｓからの光を反射鏡２０で反射して、下方向成分を含む方向に向かわせる。すなわち、本実施形態では、原稿Ｓからの光を上下方向成分を含む方向で折り返す。このため、本実施形態では、原稿Ｓから光学素子３１までの光路長を長く確保しつつ、原稿Ｓから反射鏡２０までの距離を短くすることができる。よって、本実施形態では、原稿載置面８０から反射鏡２０までの高さを低くすることができる。また、本実施形態では、スタンド１０の上部には受光部３０が配置されていないため、スタンド１０の上部及びここに設けられている構造物の小型化を図ることができる。従って、本実施形態では、作業者Ｍが周囲を見渡す際、その視線が遮られる領域を狭くすることができる。
【００３４】
ここで、図１を参照して、銀行員が、銀行のカウンター内で、本実施形態の画像入力装置１を操作する場合について説明する。ここでは、銀行内のフロワーがハイカウンター９０で仕切られているとする。ハイカウンター９０内には、ハイカウンター９０に沿って作業机９３が設置されている。この作業机９３の天面９４の高さは、ハイカウンター９０の天面９１よりも低い。作業机９３よりもカウンター内側には椅子９５が置かれている。作業者である銀行員Ｍは、ハイカウンター側を向いて椅子９５に座っている。
【００３５】
本実施形態の画像入力装置１は、前述したように、反射鏡２０の高さを抑えることができる。このため、銀行員Ｍが、本実施形態の画像入力装置１を用いて、帳票等の原稿Ｓの画像入力作業を行う場合、反射鏡２０がハイカウンター９０の天面９１よりも高くならない。よって、銀行員Ｍが画像入力作業を行っている際、ハイカウンター９０越しの視線が画像入力装置１により遮られない。従って、本実施形態の画像入力装置１を用いることで、カウンター内の銀行員Ｍは、ハイカウンター９０を基準にして客側の様子を容易に見ることができる。また、本実施形態では、客がハイカウンター９０越しに銀行員Ｍを見る場合でも、画像入力装置１のほとんどが客の視界に入らない。
【００３６】
本実施形態の画像入力装置１の反射鏡２０は、図１に示すように、手前側Ｄｙｆから奥側Ｄｙｂに向うに連れて次第に原稿載置面８０に近づくよう傾斜している。また、画像入力作業を行っている作業者Ｍの視線は、手前側Ｄｙｆから奥側Ｄｙｂに向うに連れて次第に原稿載置面８０に近づくよう傾斜している。このため、この作業者Ｍの視野Ｆｍは、反射鏡２０の反射面２１の縁に沿った外周面２３で遮らるものの、反射鏡２０の反射面２１や背面２２では実質的に遮られない。従って、本実施形態では、作業者Ｍが、原稿Ｓ等を見て画像入力作業を行っている際も、その視野Ｆｍが遮られる領域を狭くすることができる。
【００３７】
原稿Ｓから光学素子３１までの光路長が短い場合、この光路長が長い場合よりも、光学素子３１を構成する一以上のレンズのうちで、前玉の口径を大きくする必要がある。また、この光路長が短い場合、この光路長が長い場合よりも、光学素子３１で結像される像の周縁の歪みが大きくなる。本実施形態では、反射鏡２０の高さを抑えつつも、原稿Ｓから光学素子３１までの光路長を長くすることができる。このため、本実施形態では、光学素子３１を構成する１以上のレンズのうちで、前玉の口径を小さくでき、製造コストを抑えることができると共に、像の周縁の歪みを小さくすることができる。
【００３８】
また、本実施形態では、光学素子３１の光軸Ｏａが、反射鏡２０を基準にして原稿載置領域８１側で原稿載置面８０に対して垂直に交わる。このため、本実施形態では、光軸Ｏａが原稿載置面８０に対して傾斜して交わる場合よりも、光電変換素子３３の受光面３４に結像される像の歪みを抑えることができる。
【００３９】
「第二実施形態」
図５〜図９を参照して、本発明に係る画像入力装置の第二実施形態について説明する。
【００４０】
本実施形態の画像入力装置１ａの構成要素は、第一実施形態の画像入力装置１の構成要素と同じである。本実施形態でも、図５に示すように、光学素子の光軸Ｏａａは、反射鏡２０を基準にして原稿載置領域８１側で原稿載置面８０に対して垂直に交わる。但し、この光軸Ｏａａが原稿載置面８０に交わる光軸交点Ｐｏａａは、原稿載置領域８１の中心８１ｃ上になく、第一実施形態よりも、スタンド１０の基部１１側にずれている、言い換えると、第二横側Ｄｘ２にずれている。よって、本実施形態では、原稿載置面８０に対する反射鏡２０の反射面２１の角度、さらに受光部３０の位置や向きが第一実施形態と異なっている。
【００４１】
なお、光軸Ｏａａが原稿載置面８０と交わる光軸交点Ｐｏａａの位置は、第一実施形態と同様、原稿載置領域８１内である。また、本実施形態の反射鏡２０も、第一実施形態と同様、原稿載置領域８１から鉛直上方向に離れた範囲内に配置されている。この反射面２１は、手前側Ｄｙｆから奥側Ｄｙｂに向うに連れて次第に原稿載置面８０に近づくよう傾斜し、且つ第一横側Ｄｘ１から第二横側Ｄｘ２に向うに連れて次第に原稿載置面８０から遠ざかるように傾斜している。
【００４２】
図６に示すように、原稿載置面８０における光学素子３１の視野Ｆｏの中心は、光軸Ｏａａが原稿載置面８０に交わる光軸交点Ｐｏａａである。この光軸交点Ｐｏａａは、前述したように、原稿載置領域８１の中心８１ｃから第二横側Ｄｘ２にずれているため、原稿載置面８０における光学素子３１の視野Ｆｏ内には、光軸交点Ｐｏａａを基準にして第一横側Ｄｘ１に原稿載置領域８１のほとんどが入り、光軸交点Ｐｏａａを基準にして第二横側Ｄｘ２にも原稿載置領域８１と同面積の領域がほとんど入る必要がある。よって、本実施形態の光学素子３１の視野Ｆｏは、第一実施形態の光学素子３１の視野よりも広い。
【００４３】
光電変換素子３３は、原稿載置面８０における光学素子３１の視野Ｆｏ全域からの光を受け入れる必要はなく、この視野Ｆｏ内の原稿載置領域８１内からの光のみを受け入れればよい。そこで、本実施形態では、光電変換素子３３の受光面３４の中心３４ｃを、反射鏡２０を基準にして光学素子３１側の光軸Ｏａａ上に位置させずに、原稿載置領域８１の中心８１ｃからの光が結像する位置に位置させると共に、光電変換素子３３の受光面３４の面積を小さくしている。反射鏡２０を基準にして光学素子３１側の光軸Ｏａａは、第一実施形態と同様、光電変換素子３３の受光面３４に対して垂直である。
【００４４】
なお、本出願において、受光面３４の中心３４ｃとは、実質的な中心を意味する。具体的には、受光面３４が長方形である場合、この長方形の正確な中心の位置を中心として、この長方形の縦寸法又は横寸法の１／１０の寸法の範囲内の点を、受光面３４の中心３４ｃとする。また、前述の原稿載置領域８１の中心８１ｃも、実質的な中心を意味する。具体的には、原稿載置領域８１が長方形である場合、この長方形の正確な中心の位置を中心として、この長方形の縦寸法又は横寸法の１／１０の寸法の範囲内の点を、原稿載置領域８１の中心８１ｃとする。
【００４５】
ここで、本実施形態の効果を説明する前に、図８及び図９に示す比較例について説明する。
【００４６】
この比較例でも、図８に示すように、光学素子３１の光軸Ｏａｃが原稿載置領域８１側で原稿載置面８０に対して垂直に交わる。但し、この光軸Ｏａｃが原稿載置面８０に交わる光軸交点Ｐｏａｃは、原稿載置領域８１の中心８１ｃに位置している。また、光学素子３１の光軸Ｏａｃは、反射鏡２０を基準にして光学素子３１側で、光電変換素子３３の受光面３４に対して垂直に交わる。但し、光学素子３１の光軸Ｏａｃが受光面３４に交わる位置は、この受光面３４の中心３４ｃの位置である。
【００４７】
この比較例では、原稿載置面８０上の光軸交点Ｐｏａｃが原稿載置領域８１の中心８１ｃに位置しているため、原稿Ｓの縁からの光線Ｒは光軸Ｏａｃに対して傾く。ところで、光学素子３１及び光電変換素子３３を含む光学系は、原稿載置面８０上の光が光電変換素子３３の受光面３４で結像するよう設計されている。このため、原稿Ｓの縁からの光は、原稿Ｓの縁が原稿載置面８０から浮いていても、この縁があたかも原稿載置面８０に接しているように受光面３４上で結像する。よって、この比較例では、原稿Ｓの縁が原稿載置面８０から浮いている場合、原稿Ｓの縁からの光線Ｒの延長線が原稿載置面８０と交わる光線交点Ｐｒに、原稿Ｓの縁があたかも位置しているように、原稿Ｓの縁からの光が受光面３４上で結像する。従って、比較例では、原稿載置面８０と平行な方向における実際の原稿Ｓの縁の位置と、原稿Ｓの縁からの光線Ｒの延長線と原稿載置面８０との光線交点Ｐｒの位置との間の距離ｄｃが、図９に示すように、原稿Ｓの縁の像における歪みとなる。
【００４８】
一方、本実施形態では、図６に示すように、原稿載置面８０上の光軸交点Ｐｏａａが原稿載置領域８１の中心８１ｃから第二横側Ｄｘ２にずれているため、原稿Ｓの第二横側Ｄｘ２の縁からの光線Ｒの光軸Ｏａｃに対する傾きが比較例よりも小さい。このため、本実施形態では、原稿Ｓの第二横側Ｄｘ２の縁が原稿載置面８０から浮いている場合でも、原稿載置面８０と平行な方向における実際の原稿Ｓの縁の位置と、原稿Ｓの縁からの光線Ｒの延長線と原稿載置面８０との光線交点Ｐｒの位置との間の距離ｄａが、比較例よりも小さくなる。よって、本実施形態では、原稿Ｓの第二横側Ｄｘ２の縁が原稿載置面８０から浮いている場合でも、図７に示すように、原稿横ガイド５０に沿わせる原稿Ｓの第二横側Ｄｘ２の縁の像における歪みを比較例よりも小さくすることができる。
【００４９】
また、本実施形態では、光電変換素子３３の受光面３４の中心３４ｃを、原稿載置領域８１の中心８１ｃからの光が結像する位置に位置させている。このため、本実施形態では、光学素子３１の視野Ｆｏが第一実施形態より広くなるものの、光電変換素子３３の受光面３４のサイズを、原稿載置領域８１内からの光を受光できる最小限度のサイズに収めることができる。
【００５０】
「第三実施形態」
図１０を参照して、本発明に係る画像入力装置の第三実施形態について説明する。
【００５１】
本実施形態の画像入力装置１ｂは、第一実施形態の画像入力装置１の変形例である。本実施形態の画像入力装置１ｂは、二枚の反射鏡２０ａ，２０ｂを備えている。二枚の反射鏡２０ａ，２０ｂのうち、第一反射鏡２０ａは、第一実施形態の反射鏡２０と同様、その反射面２１ａが原稿載置面８０に対向するよう、柱部１９の上端に固定されている。一方、第二反射鏡２０ｂは、スタンド１０の基部１１内に配置されている。
【００５２】
受光部３０ｂは、第一実施形態と同様、光学素子３１と、光電変換素子３３と、素子駆動制御回路３６と、を有する。光学素子３１、光電変換素子３３、素子駆動制御回路３６は、いずれも、スタンド１０の基部１１内に配置されている。光学素子３１は、光電変換素子３３よりも、手前側Ｄｙｆに配置されている。第二反射鏡２０ｂは、この光学素子３１の手前側Ｄｙｆに配置されている。光学素子３１の光軸Ｏａｂは、第二反射鏡２０ｂを基準にして光学素子３１側で縦方向Ｄｙに延びている。第二反射鏡２０ｂの反射面２１ｂは、手前側Ｄｙｆから奥側Ｄｙｂに向うに連れて次第に原稿載置面８０に近づくよう傾斜している。この第二反射鏡２０ｂは、第一反射鏡２０ａからの光を基部１１内を奥側Ｄｙｂに向かわせて受光部３０ｂに導く。
【００５３】
光学素子３１の光軸Ｏａｂは、第一反射鏡２０ａを基準にして原稿載置領域８１側で原稿載置面８０に対して垂直に交わる。この光軸Ｏａｂと原稿載置面８０とが交わる光軸交点Ｐｏａｂの位置は、原稿載置領域８１内である。また、この光軸Ｏａｂは、第二反射鏡２０ｂを基準にして光学素子３１側で、光電変換素子３３の受光面３４に対して垂直である。
【００５４】
本実施形態の画像入力装置１ｂは、二枚の反射鏡２０ａ，２０ｂを有するので、第一反射鏡２０ａの高さが第一実施形態の反射鏡２０の高さと同じであっても、原稿Ｓから光学素子３１までの光路長を第一実施形態よりも長くすることができる。よって、本実施形態では、第一実施形態よりも、光学素子３１を構成する１以上のレンズのうちで、前玉の口径を小さくでき、製造コストを抑えることができると共に、像の周縁の歪みを小さくすることができる。
【００５５】
本実施形態では、原稿Ｓから光学素子３１までの光路のうち、第一実施形態における同光路よりも長くなる分の全てが基部１１内に配置している。また、本実施形態では、光電変換素子３３から第二反射鏡２０ｂまでの間で、光学素子３１の光軸Ｏａｂが基部１１内で縦方向Ｄｙに延びている。よって、本実施形態では、第一実施形態より光路長を長くすることができる上に、基部１１の高さを低くすることでき、この基部１１の小型化を図ることができる。
【００５６】
なお、本実施形態は、第一実施形態の変形例であるが、第二実施形態の画像入力装置１ａも、本実施形態の画像入力装置１ｂと同様、二枚の反射鏡を備えてもよい。第二実施形態の光学素子３１の視野Ｆｏは、前述したように、第一実施形態の光学素子３１の視野よりも広い。このため、第二実施形態の画像入力装置１ａに、第二反射鏡を追加して原稿Ｓから光学素子３１までの光路長を長くすることで、第二実施形態の光学素子３１の視野Ｆｏを第一実施形態の光学素子３１の視野より広くする必要があるものの、光学素子３１の一部を構成する前玉の口径が大きくなることを抑えることができる。
【００５７】
「第四実施形態」
図１１を参照して、本発明に係る画像入力装置の第四実施形態について説明する。
【００５８】
本実施形態の画像入力装置１ｃは、第一実施形態の画像入力装置１の変形例である。本実施形態の画像入力装置１ｃは、鏡変位機構６０を備える。この鏡変位機構６０は、揺動軸６１を有する。揺動軸６１は、原稿載置面８０に対して垂直で且つ縦方向Ｄｙに広がる仮想面内で、反射鏡２０の反射面２１と同様に、手前側Ｄｙｆから奥側Ｄｙｂに向うに連れて次第に原稿載置面８０に近づくよう傾斜している。この揺動軸６１は、柱部１９の上部に設けられている。また、この揺動軸６１には、反射鏡２０の第二横側Ｄｘ２の縁が取り付けられている。反射鏡２０は、この揺動軸６１を中心として揺動する。反射鏡２０は、この揺動により、反射鏡２０の反射面２１が原稿載置領域８１と対向している対向配置状態と、反射面２１が柱部１９と対向している収納状態との間で変位する。
【００５９】
本実施形態の画像入力装置１ｃでは、反射鏡２０を収納状態にできるため、この画像入力装置１ｃの収納性を高めることができる。
【００６０】
なお、本実施形態の鏡変位機構６０は、揺動軸６１を有するが、反射鏡２０を対向配置状態と収納状態との間で変位させることができれば、揺動軸６１を有さない機構であってもよい。
【００６１】
また、本実施形態は、第一実施形態の変形例であるが、第二実施形態や第三実施形態の画像入力装置１ａ，１ｂも、本実施形態の画像入力装置１ｃと同様、鏡変位機構６０を備えてもよい。
【００６２】
また、以上の各実施形態の画像入力装置、いずれも、原稿横ガイド５０を備えているが、以上の各実施形態の画像入力装置から原稿横ガイド５０を省いていもよい。また、各実施形態の画像入力装置は、原稿ガイドとして、横方向Ｄｂに延びる原稿縦ガイドを備えてもよい。この原稿縦ガイドは、スタンド１０の基部１１又は原稿横ガイド５０に取り付けられる。
【００６３】
「実施形態等の解釈について」
以上、本発明に係る各種実施形態を説明したが、本発明の構成は、各種実施形態で説明した構成に限定されない。すなわち、本発明の趣旨を逸脱しない範囲内で、各実施形態における構成要素を周知の構成要素に置き換える等、各実施形態における構成要素に種々の変更を加えてもよい。
【００６４】
また、特許請求の範囲に記載した各工程の実行は、特段、「〜より前に」、「より後に」等のように明示されていない限り、各工程の記載順に限定されず、任意の順序で実行し得ることに留意すべきである。また、各実施形態に記載した各工程の実行タイミングに関して、便宜上、「まず」、「次に」等を用いて説明したとしても、この説明した順序で各工程を実行することが必須であるこを意味しない。
【００６５】
「付記」
以上で説明した各実施形態の一部又は全部は、以下の付記のようにも記載され得るが、以下の記載に限定されない。
【００６６】
・付記（１）
原稿載置面上に配置されるスタンドと、前記原稿載置面上に配置された前記スタンドの位置に対して相対的に定まる前記原稿載置面内の原稿載置領域上に置かれた原稿からの光を反射する反射鏡と、前記反射鏡からの光を受け入れる受光部と、を備え、
前記スタンドは、少なくとも一部が前記原稿載置面に接する基部と、前記原稿載置面から遠ざかる方向に前記基部から延びる柱部と、を有し、前記基部は、前面と前記前面とは反対側の後面とを有し、
前記反射鏡は、前記原稿載置面内の前記原稿載置領域から垂直な方向に離れた範囲内に配置され、前記反射鏡の反射面が、前記後面に対する前記前面の側である手前側から前記前面に対する前記後面の側である奥側に向うに連れて次第に前記原稿載置面に近づくよう、傾斜した対向配置状態で、前記柱部に支持され、
前記受光部は、前記基部に設けられている、
画像入力装置。
【００６７】
・付記（２）
付記（１）に記載の画像入力装置において、
前記受光部は、前記反射鏡からの光を受けて、前記光を電気信号に変換する光電変換素子と、前記反射鏡からの光を前記光電変換素子の受光面で結像させる光学素子と、を有し、
前記反射鏡で折り曲げられる前記光学素子の光軸は、前記反射鏡を基準にして前記原稿載置領域側で前記原稿載置面に対して垂直に交わる、
画像入力装置。
【００６８】
・付記（３）
付記（２）に記載の画像入力装置において、
前記光軸が前記原稿載置面と交わる光軸交点は、前記原稿載置領域の中心から前記基部側にずれている、
画像入力装置。
【００６９】
・付記（４）
付記（２）又は（３）に記載の画像入力装置において、
前記受光面の中心は、前記原稿載置領域の中心からの光が結像する位置である、
画像入力装置。
【００７０】
・付記（５）
付記（１）から（４）のいずれか一の付記に記載の画像入力装置において、
前記反射鏡である第一反射鏡の他に、第二反射鏡を備え、
前記第二反射鏡は、前記第一反射鏡からの光を前記奥側に向かわせて前記受光部に導けるよう、前記基部に設けられている、
画像入力装置。
【００７１】
・付記（６）
付記（１）から（５）のいずれか一の付記に記載の画像入力装置において、
前記反射面が前記原稿載置領域に対向している前記対向配置状態と、前記反射面が前記柱部に対向している収納状態と、の間で前記反射鏡を変位可能に前記柱部に取り付ける鏡変位機構を備える、
画像入力装置。
【００７２】
・付記（７）
付記（１）から（６）のいずれか一の付記に記載の画像入力装置において、
前記基部に設けられ、前記原稿載置領域の縁の位置を示す原稿ガイドを備える、
画像入力装置。
【００７３】
・付記（８）
付記（７）に記載の画像入力装置において、
前記原稿ガイドは、前記奥側から前記手前側に直線的に延びる原稿横ガイドを有する、
画像入力装置。
【００７４】
・付記（９）
原稿載置面上の配置されたスタンドの位置に対して相対的に定まる前記原稿載置面内の原稿載置領域上に置かれた原稿からの光を、前記スタンドに支持された反射鏡で反射する反射工程と、前記反射鏡からの光を受け入れる受光工程と、を実行し、
前記反射工程では、前記原稿載置面内の前記原稿載置領域から垂直な方向に離れた範囲内で、前記原稿載置領域上に置かれた原稿からの光を、前記原稿載置面の側に向かわせつつ、前記原稿載置面上の配置された前記スタンドの位置を基準にして作業者位置として定まる位置の側である手前側に向かわせ、且つ前記手前側の方向に対して垂直で且つ前記原稿載置面に平行な横側に向かわせる、
画像入力方法。
【００７５】
・付記（１０）
付記（９）に記載の画像入力方法において、
前記受光工程を受光部で実行し、、
前記受光部は、前記反射鏡からの光を受けて、前記光を電気信号に変換する光電変換素子と、前記反射鏡からの光を前記光電変換素子の受光面で結像させる光学素子と、を有し、
前記反射鏡で折り曲げられる前記光学素子の光軸が、前記反射鏡を基準にして前記原稿載置領域側で前記原稿載置面に対して垂直に交わっている状態で、前記反射工程及び前記受光工程を実行する、
画像入力方法。
【００７６】
・付記（１１）
付記（１０）に記載の画像入力方法において、
前記光軸が前記原稿載置面に交わる光軸交点が、前記原稿載置領域の中心よりも前記基部側に寄っている状態で、前記反射工程及び前記受光工程を実行する、
画像入力方法。
【００７７】
・付記（１２）
付記（１０）又は（１１）に記載の画像入力方法において、
前記原稿載置領域の中心からの光が結像する位置に、前記受光面の中心が位置している状態で、前記受光工程を実行する、
画像入力方法。
【００７８】
・付記（１３）
付記（１０）から（１２）のいずれか一の付記に記載の画像入力方法において、
前記反射工程では、前記原稿載置領域上に置かれた原稿からの光を前記反射鏡である第一反射鏡で反射し、第二反射鏡で前記第一反射鏡からの光を反射して、前記手前側とは反対側の前記奥側に向かわせ、
前記受光工程では、前記第二反射鏡からの光を受け入れる、
画像入力方法。
【符号の説明】
【００７９】
１，１ａ，1ｂ，1ｃ：画像入力装置、１０：スタンド、１１：基部、１２：前面、１３：後面、１４：上面、１５：下面、１６：第一側面、１７：第二側面、１９：柱部、２０：反射鏡、２０ａ：第一反射鏡、２０ｂ：第二反射鏡、２１，２１ａ，２１ｂ：反射面、２２：背面、２３：外周面、３０，３０ｂ：受光部、３１：光学素子、３３：光電変換素子、３４：受光面、３４ｃ：受光面の中心、３６：素子駆動制御回路、５０：原稿横ガイド、５１：横ガイド面、５５：操作部、６０：鏡変位機構、６１：揺動軸、８０：原稿載置面、８１：原稿載置領域、８１ｃ：原稿載置領域の中心、９０：ハイカウンター、９１：天面、９３：机（又は作業机）、９４：天面、９５：椅子、Ｆｏ：光学素子の視野、Ｆｍ：作業者の視野、Ｏａ，Ｏａａ，Ｏａｂ，Ｏａｃ：光軸、Ｐｏａ，Ｐｏａａ，Ｐｏａｂ，Ｐｏａｃ：光軸交点、Ｒ：光線、Ｐｒ：光線交点、Ｍ：作業者（又は銀行員）、Ｓ：原稿、ｄａ，ｄｂ：距離、Ｄｙ：縦方向、Ｄｙｆ：手前側、Ｄｙｂ：奥側、Ｄｘ：横方向、Ｄｘ１：第一横側、Ｄｘ２：第二横側
【図１】
2018050100.tif 000003
【図２】
2018050100.tif 000004
【図３】
2018050100.tif 000005
【図４】
2018050100.tif 000006
【図５】
2018050100.tif 000007
【図６】
2018050100.tif 000008
【図７】
2018050100.tif 000009
【図８】
2018050100.tif 000010
【図９】
2018050100.tif 000011
【図１０】
2018050100.tif 000012
【図１１】
2018050100.tif 000013
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
原稿載置面上に配置されるスタンドと、
前記原稿載置面上に配置された前記スタンドの位置に対して相対的に定まる前記原稿載置面内の原稿載置領域上に置かれた原稿で反射された光を反射する反射鏡と、
前記反射鏡からの光を受け入れる受光部と、
を備え、
前記スタンドは、少なくとも一部が前記原稿載置面に接する基部と、前記原稿載置面から遠ざかる方向に前記基部から延びる柱部と、を有し、前記基部は、前面と前記前面とは反対側の後面とを有し、
前記反射鏡は、前記原稿載置面内の前記原稿載置領域から垂直な方向に離れた範囲内に配置され、前記反射鏡の反射面が、前記後面に対する前記前面の側である手前側から前記前面に対する前記後面の側である奥側に向うに連れて次第に前記原稿載置面に近づくよう、傾斜した対向配置状態で、前記柱部に支持され、
前記受光部は、前記基部に設けられ、
前記受光部は、前記反射鏡からの光を受けて、前記光を電気信号に変換する光電変換素子と、前記反射鏡からの光を前記光電変換素子の受光面で結像させる光学素子と、を有し、
前記反射鏡で折り曲げられる前記光学素子の光軸は、前記反射鏡を基準にして前記原稿載置領域側で前記原稿載置面に対して垂直に交わる、
画像入力装置。
【請求項２】
請求項１に記載の画像入力装置において、
前記光軸が前記原稿載置面と交わる光軸交点は、前記原稿載置領域の中心から前記基部側にずれている、
画像入力装置。
【請求項３】
請求項１又は２に記載の画像入力装置において、
前記受光面の中心は、前記原稿載置領域の中心からの光が結像する位置である、
画像入力装置。
【請求項４】
請求項１から３のいずれか一項に記載の画像入力装置において、
前記反射鏡である第一反射鏡の他に、第二反射鏡を備え、
前記第二反射鏡は、前記第一反射鏡からの光を前記奥側に向かわせて前記受光部に導けるよう、前記基部に設けられている、
画像入力装置。
【請求項５】
請求項１から４のいずれか一項に記載の画像入力装置において、
前記反射面が前記原稿載置領域に対向している前記対向配置状態と、前記反射面が前記柱部に対向している収納状態と、の間で前記反射鏡を変位可能に前記柱部に取り付ける鏡変位機構を備える、
画像入力装置。
【請求項６】
請求項１から５のいずれか一項に記載の画像入力装置において、
前記基部に設けられ、前記原稿載置領域の縁の位置を示す原稿ガイドを備える、
画像入力装置。
【請求項７】
請求項６に記載の画像入力装置において、
前記原稿ガイドは、前記奥側から前記手前側に直線的に延びる原稿横ガイドを有する、  画像入力装置。
【請求項８】
原稿載置面上の配置されたスタンドの位置に対して相対的に定まる前記原稿載置面内の原稿載置領域上に置かれた原稿で反射された光を、前記スタンドに支持された反射鏡で反射する反射工程と、
前記反射鏡からの光を受け入れる受光工程と、
を実行し、
前記反射工程では、前記原稿載置面内の前記原稿載置領域から垂直な方向に離れた範囲内で、前記原稿載置領域上に置かれた原稿で反射された光を、前記反射鏡を基準にして前記原稿載置面の側に向かわせつつ、前記原稿載置面上の配置された前記スタンドの位置を基準にして作業者位置として定まる位置の側である手前側に向かわせ、且つ前記手前側の方向に対して垂直で且つ前記原稿載置面に平行な横側に向かわせ、
前記受光工程を受光部で実行し、
前記受光部は、前記反射鏡からの光を受けて、前記光を電気信号に変換する光電変換素子と、前記反射鏡からの光を前記光電変換素子の受光面で結像させる光学素子と、を有し、
前記反射鏡で折り曲げられる前記光学素子の光軸が、前記反射鏡を基準にして前記原稿載置領域側で前記原稿載置面に対して垂直に交わっている状態で、前記反射工程及び前記受光工程を実行する、
画像入力方法。
【手続補正２】
【補正対象書類名】明細書
【補正対象項目名】０００９
【補正方法】変更
【補正の内容】
【０００９】
上記目的を達成するための発明に係る一態様としての画像入力装置は、
原稿載置面上に配置されるスタンドと、前記原稿載置面上に配置された前記スタンドの位置に対して相対的に定まる前記原稿載置面内の原稿載置領域上に置かれた原稿で反射された光を反射する反射鏡と、前記反射鏡からの光を受け入れる受光部と、を備え、
前記スタンドは、少なくとも一部が前記原稿載置面に接する基部と、前記原稿載置面から遠ざかる方向に前記基部から延びる柱部と、を有し、前記基部は、前面と前記前面とは反対側の後面とを有し、
前記反射鏡は、前記原稿載置面内の前記原稿載置領域から垂直な方向に離れた範囲内に配置され、前記反射鏡の反射面が、前記後面に対する前記前面の側である手前側から前記前面に対する前記後面の側である奥側に向うに連れて次第に前記原稿載置面に近づくよう、傾斜した対向配置状態で、前記柱部に支持され、前記受光部は、前記基部に設けられ、前記受光部は、前記反射鏡からの光を受けて、前記光を電気信号に変換する光電変換素子と、前記反射鏡からの光を前記光電変換素子の受光面で結像させる光学素子と、を有し、前記反射鏡で折り曲げられる前記光学素子の光軸は、前記反射鏡を基準にして前記原稿載置領域側で前記原稿載置面に対して垂直に交わる。
画像入力装置。
【手続補正３】
【補正対象書類名】明細書
【補正対象項目名】００１０
【補正方法】変更
【補正の内容】
【００１０】
上記目的を達成するための発明に係る一態様としての画像入力方法は、
原稿載置面上の配置されたスタンドの位置に対して相対的に定まる前記原稿載置面内の原稿載置領域上に置かれた原稿で反射された光を、前記スタンドに支持された反射鏡で反射する反射工程と、前記反射鏡からの光を受け入れる受光工程と、を実行し、
前記反射工程では、前記原稿載置面内の前記原稿載置領域から垂直な方向に離れた範囲内で、前記原稿載置領域上に置かれた原稿で反射された光を、前記反射鏡を基準にして前記原稿載置面の側に向かわせつつ、前記原稿載置面上の配置された前記スタンドの位置を基準にして作業者位置として定まる位置の側である手前側に向かわせ、且つ前記手前側の方向に対して垂直で且つ前記原稿載置面に平行な横側に向かわせ、前記受光工程を受光部で実行し、前記受光部は、前記反射鏡からの光を受けて、前記光を電気信号に変換する光電変換素子と、前記反射鏡からの光を前記光電変換素子の受光面で結像させる光学素子と、を有し、前記反射鏡で折り曲げられる前記光学素子の光軸が、前記反射鏡を基準にして前記原稿載置領域側で前記原稿載置面に対して垂直に交わっている状態で、前記反射工程及び前記受光工程を実行する。